(57)【要約】【課題】衣料に対する優れた柔軟性付与効果を持ち、幅広い衣料に対して洗浄性能、再汚染防止性能が高い衣料用洗浄剤組成物を提供する。【解決手段】（ａ）特定のアミン又はその酸塩、（ｂ）非イオン性界面活性剤、及び（ｃ）特定の高分子重合体を含有する衣料用洗浄剤組成物であって、（ｂ）成分として、特定一般式で示される非イオン性界面活性剤を２．５質量％以上含有する、衣料用洗浄剤組成物。【選択図】なし【特許請求の範囲】
【請求項１】
（ａ）下記一般式（Ｉ）で表されるアミン又はその酸塩、（ｂ）非イオン性界面活性剤、及び（ｃ）下記一般式（III）で表される化合物（ｃ１）に由来する構成単位ｃ１と下記一般式（IV）表される化合物（ｃ２）に由来する構成単位ｃ２とを含み、全構成単位中、構成単位ｃ１と構成単位ｃ２との合計が８０質量％以上である共重合体を含有する衣料用洗浄剤組成物であって、（ｂ）成分の少なくとも一部として下記一般式（II−１）で表される非イオン性界面活性剤（ｂ１）を含有し、且つ組成物中（ｂ１）の含有量が２．５質量％以上である、衣料用洗浄剤組成物。
【化１】
2008255257.tif 000009
（式中、Ｒ1aは炭素数１４〜２２のアルキル基又はアルケニル基であり、Ｒ2aは炭素数１〜５のアルキレン基であり、Ｘは−ＣＯＯ−、−ＣＯＮＲ5a−、−ＯＣＯ−、−ＮＲ5aＣＯ−から選ばれる基である。ここで、Ｒ5aは水素原子、又は炭素数１〜３のアルキル基もしくはヒドロキシアルキル基である。Ｒ3a、Ｒ4aは、同一又は異なっていても良い炭素数１〜３のアルキル基もしくはヒドロキシアルキル基、又はＲ1a−Ｘ−Ｒ2a−である。）
Ｒ1b−Ｏ−（ＣＨ2ＣＨ2Ｏ）n1−Ｒ2b            （II−１）
（式中、Ｒ1bは平均炭素数８〜２０のアルキル基もしくはアルケニル基、又はアルキルフェニル基、ｎ１はエチレンオキシド付加モル数であって１〜５の整数、Ｒ2bは水素原子又はメチル基である。）
【化２】
2008255257.tif 000010
（式中、Ｒ1c〜Ｒ4cは、同一又は異なっていても良い水素原子、炭素数１〜３０のアルキル基、フェニル基、又はカルボキシル基もしくはその塩である。ただし、Ｒ1c〜Ｒ4cのうち、少なくとも１つはカルボキシル基又はその塩である。）
【化３】
2008255257.tif 000011
（式中、Ｒ5c〜Ｒ8cは、同一又は異なっていても良い水素原子、炭素数１〜３０のアルキル基、フェニル基、
【化４】
2008255257.tif 000012
−Ｏ−Ｒ9c、−ＣＯＯ−Ｒ9c、又は−ＯＣＯ−Ｒ9cである。ただし、Ｒ5c〜Ｒ8cの全てが水素原子となることはない。Ｒ9cは炭素数１〜３０のアルキル基又はフェニル基である。）
【請求項２】
（ｂ）成分の少なくとも一部として、下記一般式（II−２）で表される非イオン性界面活性剤（ｂ２）を含有する衣料用洗浄剤組成物。
Ｒ1d−Ｏ−（ＣＨ2ＣＨ2Ｏ）n2−Ｒ2d            （II−２）
（式中、Ｒ1dは平均炭素数８〜２０のアルキル基もしくはアルケニル基、又はアルキルフェニル基、ｎ２はエチレンオキシド付加モル数であって８〜２０の整数、Ｒ2dは水素原子又はメチル基である。）
【発明の詳細な説明】
【技術分野】
【０００１】
本発明は衣料用洗浄剤組成物に関する。
【背景技術】
【０００２】
ウール・ドライマーク衣料用洗剤、いわゆる軽質洗剤は、ニット製品、主にウールのセーターに使用されている。また近年では、化繊・木綿のカットソーやパンツなどのおしゃれ着、更にはブラジャーやショーツなどの肌着まで幅広く使われるようになってきている。
【０００３】
軽質洗剤として重要視されるのは、着用時の肌触りや柔軟性であるが、なおかつ、皮脂汚れに対する高い洗浄性能も求められている。しかしウールなどの衣料は水に十分に濡れにくく、織物などの内部への浸透性も良くないため、洗浄力が不足しがちである。さらに、肌触りや柔軟性と、高い洗浄力は背反する機能であり、これらを両立させる事は軽質洗剤の課題の一つである。
【０００４】
例えば、非イオン性界面活性剤と、アミン及びその塩である含窒素化合物を組み合わせ、柔軟効果を備えた液体洗浄剤が提案されている（特許文献１）。また、含窒素化合物と、非イオン性界面活性剤及び陰イオン性界面活性剤、さらにポリマーを組み合わせ、衣料を傷めずに高い洗浄性能及び再汚染防止性能を発現する洗剤の開発も行われている（特許文献２）。
【特許文献１】特開２００６−６３３０４号公報
【特許文献２】特開２００６−２９１０６９号公報
【発明の開示】
【発明が解決しようとする課題】
【０００５】
しかしながら特許文献１の界面活性剤の組み合わせでは、衣料の柔軟性は認められるが、皮脂汚れや固体粒子の洗浄性能、及び汚れの再汚染防止性能については未だ不充分であった。また、特許文献２の液体洗浄剤は、衣料傷み抑制効果と再汚染防止性を備えている。しかし、ウールの浸透性能は不十分であり、ウールの肌触りや柔軟性、再汚染防止性を十分に発現しているとはいえない。したがって、皮脂汚れや固体粒子汚れに対する高い洗浄性能と再汚染防止の機能を備えながら、着用時の柔軟性を付与する技術が求められていた。
【０００６】
本発明の課題は、衣料に対する優れた柔軟性付与効果を持ち、ウールマーク対象衣料、ドライマーク対象衣料、さらには木綿衣料等、幅広い衣料に対して皮脂汚れや固体粒子の洗浄性能、カーボン等無機汚れの再汚染防止性能が高い衣料用洗浄剤組成物を提供することにある。
【課題を解決するための手段】
【０００７】
本発明は、（ａ）下記一般式（Ｉ）で表されるアミン又はその酸塩〔以下、（ａ）成分という〕、（ｂ）非イオン性界面活性剤〔以下、（ｂ）成分という〕、及び（ｃ）下記一般式（III）で表される化合物（ｃ１）に由来する構成単位ｃ１と下記一般式（IV）表される化合物（ｃ２）に由来する構成単位ｃ２とを含み、全構成単位中、構成単位ｃ１と構成単位ｃ２との合計が８０質量％以上である共重合体〔以下、（ｃ）成分という〕を含有する衣料用洗浄剤組成物であって、（ｂ）成分の少なくとも一部として下記一般式（II−１）で表される非イオン性界面活性剤（ｂ１）を含有し、且つ組成物中（ｂ１）の含有量が２．５質量％以上である、衣料用洗浄剤組成物に関する。
【０００８】
【化５】
2008255257.tif 000002
【０００９】
（式中、Ｒ1aは炭素数１４〜２２のアルキル基又はアルケニル基であり、Ｒ2aは炭素数１〜５のアルキレン基であり、Ｘは−ＣＯＯ−、−ＣＯＮＲ5a−、−ＯＣＯ−、−ＮＲ5aＣＯ−から選ばれる基である。ここで、Ｒ5aは水素原子、又は炭素数１〜３のアルキル基もしくはヒドロキシアルキル基である。Ｒ3a、Ｒ4aは、同一又は異なっていても良い炭素数１〜３のアルキル基もしくはヒドロキシアルキル基、又はＲ1a−Ｘ−Ｒ2a−である。）
Ｒ1b−Ｏ−（ＣＨ2ＣＨ2Ｏ）n1−Ｒ2b            （II−１）
（式中、Ｒ1bは平均炭素数８〜２０のアルキル基もしくはアルケニル基、又はアルキルフェニル基、ｎ１はエチレンオキシド付加モル数であって１〜５の整数、Ｒ2bは水素原子又はメチル基である。）
【００１０】
【化６】
2008255257.tif 000003
【００１１】
（式中、Ｒ1c〜Ｒ4cは、同一又は異なっていても良い水素原子、炭素数１〜３０のアルキル基、フェニル基、又はカルボキシル基もしくはその塩である。ただし、Ｒ1c〜Ｒ4cのうち、少なくとも１つはカルボキシル基又はその塩である。）
【００１２】
【化７】
2008255257.tif 000004
【００１３】
（式中、Ｒ5c〜Ｒ8cは、同一又は異なっていても良い水素原子、炭素数１〜３０のアルキル基、フェニル基、
【００１４】
【化８】
2008255257.tif 000005
【００１５】
−Ｏ−Ｒ9c、−ＣＯＯ−Ｒ9c、又は−ＯＣＯ−Ｒ9cである。ただし、Ｒ5c〜Ｒ8cの全てが水素原子となることはない。Ｒ9cは炭素数１〜３０のアルキル基又はフェニル基である。）
【発明の効果】
【００１６】
本発明によれば、衣料に対する優れた柔軟性付与効果を持ち、ウールマーク対象衣料、ドライマーク対象衣料、さらには木綿衣料等、幅広い衣料に対して皮脂汚れや固体粒子の洗浄性能、カーボン等無機汚れの再汚染防止性能が高い衣料用洗浄剤組成物が提供される。
【発明を実施するための最良の形態】
【００１７】
＜（ａ）成分＞
（ａ）成分は、上記一般式（Ｉ）で表されるアミン又はその酸塩である。本発明の洗浄剤組成物中の（ａ）成分の含有量は、肌触り・柔軟性の点から、０．１〜１０質量％、更に０．２〜５質量％、更に０．３〜３質量％が好ましい。
【００１８】
（ａ）成分の具体例としては、ラウリルアミドプロピルジメチルアミン、ミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン、パルミチルアミドプロピルジエタノールアミン、ステアリルアミドプロピルジエタノールアミン等の脂肪族アミドアルキル三級アミン及びそれらの塩、パルミテートエステルプロピルジメチルアミン、ステアレートエステルプロピルジメチルアミン等の脂肪族エステルアルキル三級アミン及びそれらの塩等が挙げられ、これらの中でもミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン、及びこれらの塩が好ましく、特にはステアリルアミドプロピルジメチルアミン及びその塩が好ましい。
【００１９】
＜（ｂ）成分＞
本発明の（ｂ）成分は、非イオン性界面活性剤であり、洗浄性を得る上での主基材となる。非イオン性界面活性剤としては、ポリオキシアルキレンアルキルエーテル、ポリオキシアルキレンアルキルフェニルエーテル、ポリオキシアルキレンソルビタン脂肪酸エステル、ポリオキシアルキレングリコール脂肪酸エステル、ポリオキシエチレンポリオキシプロピレンブロックポリマー、脂肪酸アルカノールアミド、アルキルポリグリコシド、ポリヒドロキシ脂肪酸アミド等が挙げられ、特に、ポリオキシアルキレンアルキルエーテルが好ましい。
【００２０】
（ｂ）成分として、後述する（ｂ１）成分の要件を満たす限り、ポリオキシアルキレンアルキルエーテル以外の非イオン性界面活性剤を併用してもよく、その場合は洗浄性を考慮して用いることが好ましい。（ｂ）成分の組成物中の配合濃度は、好ましくは、５〜５０質量％、より好ましくは、５〜４５質量％、最も好ましくは８〜４０質量％である。
【００２１】
本発明の特徴は、上記一般式（II−１）で示される、特定の非イオン性界面活性剤（ｂ１）〔以下、（ｂ１）成分という〕を含有することにある。一般式（II−１）においてより好ましい要件は、Ｒ1bが、平均炭素数８〜２０、好ましくは１０〜１８、より好ましくは１２〜１４、最も好ましくは炭素数１０〜１４のアルキル基、アルケニル基、アルキルフェニル基であり、及びＲ2bが水素原子の化合物である。また（ｂ１）成分の洗浄組成物中の含有量は、２．５質量％以上であり、好ましくは２．５〜２５質量％、より好ましくは３．３〜２０質量％、更に好ましくは４．０〜１５質量％であることが、ウールに対する濡れ性能を発現する点で好ましい。（ｂ１）成分は、アルキル基の前記炭素数のアルコールにエチレンオキシド（以下、ＥＯと表記する）を付加させて得られるポリオキシエチレンアルキルエーテルの場合、平均ＥＯ付加モル数が２〜６の化合物として配合することが好ましい。なお、ＥＯ付加モル数の分布は、ガスクロマトグラフィーにて通常の方法で行う。
【００２２】
洗浄力の観点から、（ｂ１）成分と併用することが好ましい（ｂ）成分の非イオン性界面活性剤として下記一般式（II−２）で示される非イオン性界面活性剤（ｂ２）〔以下、（ｂ２）成分という〕が挙げられる。
Ｒ1d−Ｏ−（ＣＨ2ＣＨ2Ｏ）n2−Ｒ2d            （II−２）
（式中、Ｒ1dは平均炭素数８〜２０、好ましくは１０〜１８、より好ましくは１２〜１４、最も好ましくは炭素数１０〜１４のアルキル基、アルケニル基、アルキルフェニル基、ｎ２はエチレンオキシド付加モル数であって８〜２０の整数、Ｒ2dは水素原子又はメチル基、好ましくは水素原子である。）
【００２３】
なお、洗浄性の上で（ｂ２）成分と（ｂ１）成分との配合比率は質量比として、好ましくは（ｂ１）／（ｂ２）が３／９７〜５０／５０、より好ましくは１０／９０〜５０／５０、最も好ましくは２０／８０〜４０／６０である。また（ｂ２）成分の組成物中の配合濃度は、好ましくは２．５質量％以上、より好ましくは５質量％以上、最も好ましくは１０質量％以上であり、上限値は、前記（ｂ１）／（ｂ２）の比率と全（ｂ）成分濃度から制限される。
【００２４】
（ｂ２）成分は、前記炭素数のアルコールにＥＯを平均で７〜１５モル付加させたポリオキシエチレンアルキルエーテルとして配合することが好ましい。前記の（ｂ１）と（ｂ２）を併用する場合の最も好ましい配合比率は、Ｒ1bに相当するアルキル基を有し平均ＥＯ付加モル数が２〜６のモルのポリオキシエチレンアルキルエーテルの一種以上と、Ｒ1dに相当するアルキル基を有し平均ＥＯ付加モル数が７〜１５のポリオキシエチレンアルキルエーテルの一種以上とを併用し、その際の併用比率を調整して達成することが好ましい。
【００２５】
＜（ｃ）成分＞
本発明の（ｃ）成分は、上記一般式（III）で表される化合物（ｃ１）に由来する構成単位ｃ１と、上記一般式（IV）表される化合物（ｃ２）に由来する構成単位ｃ２とを含み、全構成単位中、化合物（ｃ１）からの構成単位ｃ１と化合物（ｃ２）からの構成単位ｃ２との合計が８０質量％以上である共重合体である。該共重合体は、重合性不飽和カルボン酸又はその塩である化合物（ｃ１）と、重合性不飽和炭化水素である化合物（ｃ２）との共重合体である。（ｃ）成分は、重合性不飽和カルボン酸を用い、共重合後に一部又は全部を中和して塩としたものでもよい。また、化合物（ｃ１）が複数のカルボキシ基を有する場合、無水物となっていてもよい。化合物（ｃ１）に由来する構成単位ｃ１及び、化合物（ｃ２）に由来する構成単位ｃ２は、共重合時に対応する化合物により導入されたものでも、共重合体に後から導入されたものでも、いずれでもよい。
【００２６】
（ｃ）成分の製造には、化合物（ｃ１）、化合物（ｃ２）以外のモノマーを用いることもできるが、全モノマー中、化合物（ｃ１）と化合物（ｃ２）の合計が８０質量％以上であり、９０質量％以上であることが好ましい。また、構成単位ｃ１と構成単位ｃ２のモル比は、ｃ１／ｃ２＝１０／９０〜９０／１０、更に２０／８０〜８０／２０であることが好ましく、製造時の化合物（ｃ１）と化合物（ｃ２）のモル比もこの範囲とすることが好ましい。
【００２７】
化合物（ｃ１）は、カルボキシ基又はその塩を有するビニルモノマーである。該モノマーとしては例えば、（メタ）アクリル酸［（メタ）アクリル酸は、アクリル酸、メタクリル酸又はそれらの混合物のことをいう］及びその塩類、スチレンカルボン酸及びその塩類、マレイン酸系モノマー［無水マレイン酸、マレイン酸、マレイン酸モノエステル、並びにマレイン酸モノアミド又はそれらの２種類以上からなる混合物のことをいう］及びその塩類並びにイタコン酸及びその塩類等であり、これらから選ばれる１種以上を用いることができる。
【００２８】
また、化合物（ｃ２）としては、下記モノマー群（ｃ２−１）〜（ｃ２−６）から選ばれるモノマーが好ましく挙げられる。
【００２９】
（ｃ２−１）炭素数１〜２２の無置換もしくは置換の、飽和もしくは不飽和アルキル基又はアラルキル基を有するビニルエーテル類。例えば、メチルビニルエーテル、エチルビニルエーテル、４−ヒドロキシブチルビニルエーテル、フェニルビニルエーテル、ラウリルビニルエーテル、ミリスチルビニルエーテル、パルミチルビニルエーテル、ステアリルビニルエーテル等が挙げられる。
【００３０】
（ｃ２−２）炭素数１〜７の無置換もしくは置換の、飽和もしくは不飽和アルキル基又はアラルキル基を有する（メタ）アクリル酸エステル類。例えば、（メタ）アクリル酸メチル、（メタ）アクリル酸エチル、（メタ）アクリル酸２−ヒドロキシエチル等が挙げられる。
【００３１】
（ｃ２−３）スチレン類。例えば、スチレン、４−エチルスチレン、α−メチルスチレン等が好ましい。
【００３２】
（ｃ２−４）ビニルエステル類。例えば、酢酸ビニル、カプロン酸ビニル等が好ましい。
【００３３】
（ｃ２−５）炭素数８〜３０、好ましくは炭素数１２〜２２の飽和もしくは不飽和アルキル基又はアラルキル基を有する（メタ）アクリル酸エステル。例えば、（メタ）アクリル酸デシル、（メタ）アクリル酸ラウリル、（メタ）アクリル酸ミリスチル、（メタ）アクリル酸セチル、（メタ）アクリル酸ステアリル、（メタ）アクリル酸ベヘニル等が挙げられる。
【００３４】
（ｃ２−６）ブテン、ヘキセン、ペンテン、オクテン、ノネン、デセン、ドデセン等の炭素数３〜３０のアルケン類が挙げられる。
【００３５】
化合物（ｃ２）としては、スチレン、４−エチルスチレン、α−メチルスチレンが好ましい。
【００３６】
（ｃ）成分は、化合物（ｃ１）、化合物（ｃ２）以外のモノマーに由来する構成単位を含むことができる。その他のモノマーとしては、以下（ｉ）〜（ｘ）のものが挙げられる。
【００３７】
（ｉ）スルホン酸基又はその塩を有するビニルモノマー。該モノマーとしては例えば、２−（メタ）アクリロイルオキシエタンスルホン酸、２−（メタ）アクリロイルオキシプロパンスルホン酸、２−（メタ）アクリルアミド−２−アルキル（炭素数１〜４）プロパンスルホン酸、ビニルスルホン酸、スチレンスルホン酸等のスルホン酸モノマー等が挙げられ、これらから選ばれる１種以上を用いることができる。
【００３８】
（ii）リン酸基もしくはホスホン酸基又はその塩を有するビニルモノマー。該モノマーとしては例えば、（メタ）アクリロイルオキシアルキル（炭素数１〜４）リン酸、ビニルホスホン酸等が挙げられる。
【００３９】
（iii）無置換、あるいは窒素上に炭素数１〜１２の飽和もしくは不飽和のアルキル基又はアラルキル基を有する置換（メタ）アクリルアミド類。例えば、（メタ）アクリルアミド、Ｎ−メチル（メタ）アクリルアミド、Ｎ，Ｎ−ジメチル（メタ）アクリルアミド、Ｎ−エチル（メタ）アクリルアミド、Ｎ−ｔ−ブチル（メタ）アクリルアミド、（メタ）アクリロイルモルホリン、２−（Ｎ，Ｎ−ジメチルアミノ）エチル（メタ）アクリルアミド、３−（Ｎ，Ｎ−ジメチルアミノ）プロピル（メタ）アクリルアミド、２−ヒドロキシエチル（メタ）アクリルアミド、Ｎ−メチロール（メタ）アクリルアミド、Ｎ−ブトキシメチル（メタ）アクリルアミド等が好ましい。
【００４０】
（iv）Ｎ−ビニル脂肪族アミド類。例えば、Ｎ−ビニルピロリドン、Ｎ−ビニルアセトアミド、Ｎ−ビニルホルムアミド等が好ましい。
【００４１】
（ｖ）アルキレンオキサイド類。例えばエチレンオキサイド、プロピレンオキサイド等が好ましい。
【００４２】
（vi）環状イミノエーテル類。例えば２−メチル−２−オキサゾリン、２−フェニル−２−オキサゾリン等が好ましい。
【００４３】
（vii）Ｎ−メチルバレロラクタム類のような、ポリアミド類の製造に用いられるモノマー。
【００４４】
（viii）ポリエチレングリコール、ヘキサメチレンジイソシアナート、及びＮ−メチル−ジエタノールアミン又は１，４−ブタンジオール等、ポリウレタンのような重付加物の製造に用いられるモノマー。
【００４５】
（ix）窒素に結合した飽和もしくは不飽和の炭素数８〜３０、好ましくは炭素数１２〜２２のアルキル基又はアラルキル基を、１又は２有する置換（メタ）アクリルアミド。例えば、Ｎ−ラウリル（メタ）アクリルアミド、Ｎ−ジオクチル（メタ）アクリルアミド等が挙げられる。
【００４６】
（ｘ）２価アルコールと２価カルボン酸とから成るポリエステル類の製造に用いられるモノマー。例えば、ポリエチレングリコールとテレフタル酸、あるいは１，４−ブタンジオールとコハク酸等が挙げられる。
【００４７】
これら化合物（ｃ１）やその他のモノマーの塩類としては、アルカリ金属、アルカリ土類金属、アンモニウム、総炭素数１〜２２のアルキルもしくはアルケニルアンモニウム、炭素数１〜２２のアルキル若しくはアルケニル置換ピリジニウム、総炭素数１〜２２のアルカノールアンモニウム、又は塩基性アミノ酸等が挙げられ、ナトリウム、カリウムの様なアルカリ金属塩が好ましい。
【００４８】
（ｃ）成分の分子量は、重量平均分子量で３０００〜８００万、更に３０００〜１００万が好ましい。この重量平均分子量は、ゲル・パーミエーション・クロマトグラフィー（ＧＰＣ）を用いて測定し、ポリエチレングリコール（ＰＥＧ）換算で平均分子量を決定したものである。
【００４９】
本発明の洗浄剤組成物は（ｃ）成分を０．１〜１０質量％、更に０．１〜７．５質量％、更に０．１〜５質量％含有することが再汚染防止性の点で好ましい。
【００５０】
本発明の衣料用液体洗浄剤組成物には、他の界面活性剤、例えば陰イオン性界面活性剤、両性界面活性剤、陽イオン性界面活性剤を配合することができる。
【００５１】
陰イオン性界面活性剤としては、構造に-ＳＯ3Ｍ基、および／または−ＯＳＯ3Ｍ基〔Ｍ：対イオン〕を有する陰イオン性界面活性剤を挙げることができる。
【００５２】
具体的には、アルキルベンゼンスルホン酸、アルキル（またはアルケニル）硫酸、ポリオキシアルキレンアルキル（またはアルケニル）エーテル硫酸、オレフィンスルホン酸、アルカンスルホン酸、α−スルホ脂肪酸、α−スルホ脂肪酸エステルおよびこれらの塩が好ましい。これらの中でも特に、炭素数１０〜２２、好ましくは１０〜１８、より好ましくは１２〜１８のアルキル基またはアルケニル基を有するアルキル（またはアルケニル）硫酸、炭素数１０〜２２、好ましくは１０〜１８、より好ましくは１２〜１８のアルキル基またはアルケニル基を有し、エチレンオキシド（以下、ＥＯと表記する）平均付加モル数が１〜６、好ましくは１〜４、特に好ましくは１〜３であるポリオキシエチレンアルキル（またはアルケニル）エーテル硫酸およびこれらの塩から選ばれる一種以上を配合することが好ましい。塩としては、ナトリウム塩、カリウム塩、アンモニウム塩、アルカノールアミン塩が貯蔵安定性の点から良好である。特にアルキルベンゼンスルホン酸塩、ポリオキシエチレンアルキル（又はアルケニル）エーテルスルホン酸塩が好ましい。
【００５３】
また、陰イオン性界面活性剤として、炭素数８〜２０の脂肪酸等、及びこれらの塩を含有しても良い。
【００５４】
また、更に被洗浄物などの柔軟性を向上させるためには、陽イオン性界面活性剤を、添加しても良い。陽イオン性界面活性剤としては、モノ、ジ、もしくはトリ中〜長鎖アルキル又はアルケニル型第４級アンモニウム塩、第３級アミン塩、イミダゾリン塩、イミダゾリニウム塩、アミノ酸系陽イオン性界面活性剤等から選ばれる１種又は２種以上が好適に使用される。この中〜長鎖アルキル又はアルケニル基は、炭素数８〜２８、好ましくは炭素数８〜２２の直鎖又は分岐鎖であってもよく、−Ｏ−、−ＣＯＮＨ−、−ＣＯＯ−等のエーテル基、エステル基もしくはアミド基で分断、又は−ＯＨ等で置換されていてもよい。
【００５５】
その対となるアニオンは特に限定されず、塩素、ヨウ素、臭素等のハロゲンイオン；メトサルフェート、エトサルフェート、メトフォスフェート、エトフォスフェート等の有機アニオンが挙げられる。
【００５６】
陽イオン性界面活性剤の好ましい具体例として、ジステアリルジメチルアンモニウムクロライド、ステアリルトリメチルアンモニウムクロライド、カプリルトリメチルアンモニウムクロライド、ミリスチルトリメチルアンモニウムクロライド、セチルトリメチルアンモニウムクロライド、ベヘニルトリメチルアンモニウムクロライド、ラウリルトリメチルアンモニウムクロライド、Ｎ−ステアリル−Ｎ，Ｎ，Ｎ−トリ（ポリオキシエチレン）アンモニウムクロライド（ＥＯ合計３モル付加）、セチルベンジルジメチルアンモニウムクロライド、セチルトリエチルアンモニウムブロマイド、ヘキサデシルオクタデシルジメチルアンモニウムクロライドや、その他アルキル（アルキル基の炭素数８〜２８）ジメチルベンジルアンモニウム塩、ジアルキル（アルキル基の炭素数８〜２８）メチルヒドロキシエチルアンモニウム塩等が挙げられる。
【００５７】
両性界面活性剤としてアルキルカルボベタイン、アルキルアミドプロピルアミンオキサイド、アルキルスルホベタイン、アルキルアミドヒドロキシスルホベタイン、アルキルアミドアミン型ベタイン及びアルキルイミダゾリン型ベタインなどが配合できる。
【００５８】
非イオン性界面活性剤以外の界面活性剤は、液の安定性及び泥汚れ洗浄性の点で、好ましくは組成物中１〜２０質量％含有される。
【００５９】
なお、本発明の洗浄剤組成物は、シリコーン化合物を含有することができる。シリコーン化合物としては、例えば、カルボキシ変性シリコーン化合物、アミノ変性シリコーン化合物、アルキル変性シリコーン化合物、エポキシ変性シリコーン化合物などを挙げることができる。
【００６０】
更に本発明の洗浄剤組成物には、次の成分を配合してもよい。即ち、
アルカリ金属の水酸化物、ケイ酸塩、炭酸ナトリウム等の炭酸塩、及びアルカノールアミン等のアルカリ剤０．０１〜１０質量％、
エタノール、メタノール、プロパノール等の炭素数１〜４の低級アルコール類、グリセリン、エチレングリコール、プロピレングリコールなどのグリセリンやグリコール類、ポリオキシアルキレン（好ましくはポリオキシエチレン）ベンジルエーテル、ポリオキシアルキレンフェニルエーテル（好ましくはフェニルエチルエーテル）等のフェニル又はベンジル系の溶剤（殺菌剤としても使用できる）、パラトルエンスルホン酸（塩）、キシレンスルホン酸（塩）、安息香酸塩（防腐剤としての効果もある）並びに尿素等の減粘剤、可溶化剤（ハイドロトロープ剤）０．０１〜３０質量％、
ニトリロ三酢酸塩、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、並びにマロン酸、コハク酸、ジグリコール酸、リンゴ酸、酒石酸、クエン酸等の酸及びそれらの塩等の金属イオン捕捉剤０．１〜２０質量％、
ポリアクリル酸、ポリマレイン酸、カルボキシメチルセルロース、平均分子量５０００以上のポリエチレングリコール、無水マレイン酸−ジイソブチレン共重合体、無水マレイン酸−メチルビニルエーテル共重合体、無水マレイン酸−イソブチレン共重合体、無水マレイン酸−酢酸ビニル共重合体、ナフタレンスルホン酸塩ホルマリン縮合物、及び特開昭５９−６２６１４号公報の請求項１〜２１（１頁３欄５行〜３頁４欄１４行）記載のポリマー等の再汚染防止剤及び分散剤０．０１〜１０質量％、
ポリビニルピロリドン等の色移り防止剤０．０１〜１０質量％、
過炭酸ナトリウム又は過硼酸ナトリウム等の漂白剤０．０１〜１０質量％、
テトラアセチルエチレンジアミン、特開平６−３１６７００号公報の一般式（Ｉ−２）〜（Ｉ−７）で表される漂白活性化剤等の漂白活性化剤０．０１〜１０質量％、
アミラーゼ、プロテアーゼ、リパーゼ及びセルラーゼ等の酵素０．００１〜２質量％、
塩化カルシウム、硫酸カルシウム、ギ酸、ホウ酸（ホウ素化合物）等の酵素安定化剤０．００１〜２質量％、
チノパールＣＢＳ（チバガイギー社製）やホワイテックスＳＡ（住友化学社製）等の蛍光染料０．００１〜１質量％、
シリカ、シリコーン化合物等の消泡剤０．０１〜２質量％、
ブチルヒドロキシトルエン、ジスチレン化クレゾール、亜硫酸ナトリウム及び亜硫酸水素ナトリウム等の酸化防止剤０．０１〜２質量％、
その他、青味付け剤、香料、抗菌防腐剤等が挙げられる。なお上記濃度は、配合する場合の好ましい濃度であるが、用途や剤形などによって多少変動してもよい。
【００６１】
本発明の組成物のＪＩＳ  Ｋ３３６２：１９９８記載の方法による２０℃におけるｐＨは、組成物が粉末もしくは固体の場合、０．１質量％水溶液のｐＨが６〜１０、液体の場合、原液のｐＨが６〜１０であることが好ましく、いずれの場合も、被洗浄物の変形・変質防止の点で、６〜８が好ましく、６．５〜８がより好ましく、７〜７．８が更に好ましく、７〜７．６が特に好ましい。
【００６２】
本発明の洗浄剤組成物は、錠剤、粉末、ペースト、液体等のいずれの形態でも良いが、溶解性、使い易さの点で液体が好ましい。本発明の組成物が液体である場合、残部は水であり、貯蔵安定性の点からイオン交換水を用いることが好ましい。また２０℃における粘度は、取り扱いの容易さの点で５〜４００ｍＰａ・ｓが好ましく、１０〜１００ｍＰａ・ｓがより好ましく、１０〜５０ｍＰａ・ｓが更に好ましい。粘度調整剤によりこのような範囲になるように調整することが好ましい。なお、これらの粘度は、Ｂ型粘度計（（株）東京計器製、ＶＩＳＣＯＭＥＴＥＲ  ＭＯＤＥＬ  ＤＶＭ−Ｂ）を用い、ローター番号１、回転数６０ｒ／ｍｉｎの条件であり、ローターの回転を開始し、６０秒間秒経ったときの粘度を液体の粘度である。
【００６３】
粘度調整剤としては、前記の減粘剤や可溶化剤等を用いることができ、増粘剤として水溶性高分子、無機電解質を用いることができる。上記（ｃ）成分以外の水溶性高分子としては、ビニルメチルエーテル−無水マレイン酸共重合物、ポリプロピレングリコール（分子量１００〜１０００）等が挙げられる。無機電解質としては、硫酸ナトリウム、塩化ナトリウム、塩化カリウム等が挙げられる。
【００６４】
本発明の洗浄剤組成物は、特に、肌触り・柔軟性、洗浄性能の点で、組成物中に含まれるＪＩＳ  Ｋ３３６２：１９９８記載の界面活性剤相当分が１０〜６０質量％、更に１２〜５５質量％、特に１５〜４５質量％であることが好ましい。
【００６５】
また、液体洗浄剤組成物の場合は、外観が透明であることが好ましい。透明度は光の透過率で表される。水に対する透過率が８０％以上、好ましくは９０％以上、９５％以上が更に好ましい。透過率の測定は、日本電色工業（株）ＮＤＨ２００を用い、水をブランクとしたときの全光線透過光を測定することにより、求められる。
【００６６】
本発明の洗浄剤組成物は、繊維製品用として好適であり、具体的にはウールや化繊、木綿等のニット製品やおしゃれ着、肌着等、幅広い衣料用として好適である。
【００６７】
本発明の洗浄剤組成物は、洗濯により被洗浄物に肌触りの向上効果及び／又は柔軟性の向上効果を付与するために用いることができる。このため、柔軟性能（繊維製品に対する柔軟性の付与効果を有する）を具備する洗浄剤組成物として使用できる。
【実施例】
【００６８】
表１〜３に示す液体洗浄剤組成物を調製し、得られた組成物を用いて、表１の組成物については、浸透性、再汚染防止性及び肌触り・柔軟性についての評価を行い、表２及び表３の組成物については、浸透性、再汚染防止性、肌触り・柔軟性及び洗浄性についての評価を行った。その結果を表１〜３に示す。なお、表中の洗浄剤組成物は塩酸（３５％、南海化学工業株式会社製）及び硫酸（５０°ボーメ硫酸、テイカ株式会社製）でｐＨ（２０℃）＝７．３に調整した。また、表中の洗浄剤組成物の粘度は何れも１０〜５０ｍＰａ・ｓ、透過率は９５％以上であった（測定方法は前述の通り）。
【００６９】
＜浸透性評価方法＞
ウールモスリン布を６ｃｍ×６ｃｍに切断し、ウール試験布として用いた。１リットルの水溶液（４°ＤＨ）に表中の本発明品及び比較品の洗浄剤組成物をそれぞれ１．３３３ｇ秤取、１０００ｍｌの溶液を調製した。上記のウール試験布を評価用洗剤液表面に水平に静かに置き、水に接した瞬間から、ウール試験布が水面から離れて水中に入るまでの時間を測定し、その時間を浸透時間とした。測定５回の平均値を表に示した。
【００７０】
＜再汚染防止性評価方法＞
木綿の白布（金巾２００３布）を１０ｃｍ×１０ｃｍに裁断し、５枚１組とした。評価用洗剤水溶液１リットルにカーボンブラック０．２５ｇを加え、ターゴトメーターにて試験を行なった。実験条件は、洗浄時間１０分。洗浄剤濃度１．３３３ｇ／１Ｌ、水の硬度４°ＤＨ、水の温度２０℃、２０℃水道水にて５分間流水濯ぎ、である。
【００７１】
再汚染防止性は、洗浄前の原布（白布）及び試験後の汚染布の４６０ｎｍにおける反射率を自記色彩計（島津製作所製）にて測定し、次式によって再汚染防止率を求め、以下の基準により判定した。６５％以上が優れている。
再汚染防止率（％）＝（試験後の反射率／原布の反射率）×１００
【００７２】
＜肌触り・柔軟性評価方法＞
全自動洗濯機（東芝ＡＷ−Ｄ８０２ＶＰ）の洗濯槽に水道水３０リットルを入れ、ウール編み布（カネボウ社製  中細毛糸使用）３５０ｇを入れる。更に表中の液体洗浄剤組成物を４０ｍｌ入れ、ドライコースにて洗濯する。尚、水道水は２０℃に調整して用いた。洗濯終了後、２０℃、６５％ＲＨの恒温恒湿室に２４時間静置乾燥した。乾燥後の試験布を、肌触り・柔軟性それぞれについて、基準となる標準衣料用液体洗浄剤組成物（表中、基準と表示、組成を表に示す）で同様に処理した試験布と対比して、下記の基準で熟練したパネラー５名により評価した。評価点は５名の合計点とした。
−２点：標準衣料用液体洗浄剤組成物と比較して、肌触り・柔軟性が著しく悪い
−１点：標準衣料用液体洗浄剤組成物と比較して、肌触り・柔軟性が悪い
０点：標準衣料用液体洗浄剤組成物と比較して、肌触り・柔軟性が変わらない
１点：標準衣料用液体洗浄剤組成物と比較して、肌触り・柔軟性が良い
２点：標準衣料用液体洗浄剤組成物と比較して、肌触り・柔軟性が著しく良い
【００７３】
＜洗浄性評価法＞
１リットルの水（４°ＤＨ）に表中の洗浄剤組成物を１．３３３ｇ添加し、１０００ｍｌの水溶液を調製し、下記の方法で調製した人工汚垢布についてターゴトメーター（商品名）にて洗浄試験を行なった。実験条件は、洗浄時間１０分。洗浄剤濃度１．３３３ｇ／１Ｌ、水の硬度４°ＤＨ、水の温度２０℃、２０℃水道水にて５分間流水濯ぎ、である。洗浄後の人工汚垢布の反射率を測定し（λ＝５５０μｍ）、次式により洗浄率を計算し、下記の基準で評価した。この時、９枚の人工汚垢布のうち、洗浄率の高いサンプル２枚及び低いサンプル２枚を除外し、残り５枚の平均値で評価した。
洗浄率（％）＝（洗浄後の反射率−洗浄前の反射率）／（原布の反射率−洗浄前の反射率）×１００
・人工汚垢布の調製
四塩化エチレン７５Ｌに、下記に示す組成の有機汚垢を１５３１．２ｇ、及び同じく下記に示す組成のカーボンペースト２４０ｇを加えて１０分間超音波分散を行い、この浴中に幅１０ｃｍの清浄布（ウールモスリン）を浸し、汚染後風乾して汚染布とする。この汚染布を１０ｃｍ×１０ｃｍに裁断し、洗浄試験に供した。
【００７４】
なお、有機汚垢の組成は、綿実油４４．８％、コレステロール１０．８％、オレイン酸１０．８％、パルミチン酸７．８％、セチルアルコール２．０％、固形パラフィン５．１％、流動パラフィン５．１％（合計８６．４％）であり、カーボンペーストの組成は旭カーボンブラック０．２％、綿実油１３．４％（合計１３．６％）である。ここで、％は、有機汚垢とカーボンペーストの混合物における割合（質量％）である。
【００７５】
【表１】
2008255257.tif 000006
【００７６】
【表２】
2008255257.tif 000007
【００７７】
【表３】
2008255257.tif 000008
【００７８】
（注）表中の成分は以下のものである。
・アミン１：ステアリルアミドプロピルジメチルアミン
・非イオン性界面活性剤１：炭素数１０〜１４のアルキル基を有する第２級アルコールにＥＯを平均３モル付加させたポリオキシエチレンアルキルエーテル
・非イオン性界面活性剤２：炭素数１２のアルキル基を有する直鎖第１級アルコールにＥＯを平均１２モル付加させたポリオキシエチレンアルキルエーテル
・非イオン性界面活性剤３：炭素数１２にアルキル基を有する直鎖第１級アルコールにＥＯを平均８モル付加させたポリオキシエチレンアルキルエーテル
・共重合体ｃ１：ペンテン／マレイン酸コポリマー（ペンテン／マレイン酸モル比＝５０／５０、重量平均分子量７０００）
・共重合体ｃ２：無水マレイン酸−ジイソブチレン共重合体（無水マレイン酸／ジイソブチレンモル比＝５０／５０、重量平均分子量２３０００）
・共重合体ｃ３：無水マレイン酸−スチレン共重合体（無水マレイン酸／スチレンモル比＝５０／５０、重量平均分子量７０００）
・シリコーン：アミノ変性シリコーン、東レダウシリコーン社製、ＢＹ−９０６
・ポリエチレングリコールモノフェニルエーテル：平均ＥＯ付加モル数３
・ポリエチレングリコール：重量平均分子量１０００のポリエチレングリコール